(57)【特許請求の範囲】
【請求項１】
第１の帯状部と第２の帯状部の中間部の間に連結帯状体が一体に形成された胴輪本体において、第１の帯状部の両端部に紐状体を連結するとともに、第２の帯状部の両端部に挿通部を構成し、それぞれの挿通部に挿通した紐状体をスライド式固定具を通して、それらの端部をリード取付部材に固定したことを特徴とするペット用胴輪。
【請求項２】
第１、第２の帯状部と連結帯状体のそれぞれを、幅広の布状部材で構成して、胴輪本体を一体に形成したことを特徴とする請求項１に記載のペット用胴輪。
【請求項３】
第１の帯状部の両端部は、第２の帯状部から離れる方向に傾斜させて、第１の帯状部と連結帯状体とがＹ字形状になるように形成したことを特徴とする請求項１に記載のペット用胴輪。
【発明の詳細な説明】
【技術分野】
【０００１】
本発明は、犬等のペット（愛玩動物）を散歩させる際などに使用する胴輪に関するものである。
【背景技術】
【０００２】
ペット用胴輪の従来例としては、例えば特許文献１や特許文献２に示されるものがある。いずれの例でも、ペット用胴輪は、ペットの首部と胴部に対応させて、一対の帯状部材（例えばベルト）を設け、それぞれの両端を互いに連結部材により連結するとともに、この連結部材にリード（引紐）を繋ぐための連結帯状部材と連結環を設けている。また、使用時において、一対の帯状部材が一定の間隔以上に広がらないように、それぞれの中間部間を連結する幅規制帯状部材を設けている。
【０００３】
例えば、特許文献２に示されるペット用胴輪を、図９および図１０により説明すると、胴輪Ｘはペット１００の首部１０１と胴部１０２に対応させて、一対の帯状部材（例えばベルト）１０３ａと１０３ｂを設け、それぞれの両端を互いに連結部材１０４ａと１０４ｂにより連結するとともに、この連結部材１０４（ａ、ｂ）にリード（引紐）１０５を繋ぐための連結帯状部材１０６（ａ、ｂ）と連結環１０７（ａ、ｂ）を設けている。また、使用時において、一対の帯状部材１０３ａと１０３ｂが一定の間隔以上に広がらないように、それぞれの中間部間を連結する幅規制帯状部材１０８を設けている。
【０００４】
このような胴輪Ｘは一対の帯状部材１０３ａと１０３ｂにより、ペット１００の首部１０１と胴部１０２を支持するので、首輪に比べ、ペット１００に掛かる力が分散され、ペット１００への負担を軽減することができるが、各帯状部材１０３ａと１０３ｂを、幅の狭いベルトで構成しているため、大きな力が加わると、帯状部材１０３ａ、１０３ｂがペット１００の体に食い込み、ペット１００に苦痛を与えるという問題点がある。
【特許文献１】特許第２５０６２８５号公報
【特許文献２】特開２００１−６９８６９号公報
【発明の開示】
【発明が解決しようとする課題】
【０００５】
このように、特許文献１、２等で提案されている従来の胴輪は首輪に比べ、ペットへの負担をある程度軽減することができるが、帯状部材を幅の狭いベルトで構成しているので、リードを強く引っ張るなどして、大きな力を加えれば、やはり帯状部材がペットの体に食い込んで、ペットに大きな苦痛を与えるのを避けられない。本発明はこのような課題を解決することを目的とするものである。
【課題を解決するための手段】
【０００６】
以上の課題を解決するために，本発明では、第１の帯状部と第２の帯状部の中間部の間に連結帯状体が一体に形成された胴輪本体において、第１の帯状部の両端部に紐状体を連結するとともに、第２の帯状部の両端部に挿通部を構成し、それぞれの挿通部に挿通した紐状体をスライド式固定具を通して、それらの端部をリード取付部材に固定したペット用胴輪を提案する。
【０００７】
そして、本発明は上記構成において、第１、第２の帯状部と連結帯状体のそれぞれを、幅広の布状部材で構成して、胴輪本体を一体に形成したペット用胴輪を提案する。
【０００８】
さらに、本発明は上記構成において、第１の帯状部の両端部は、第２の帯状部から離れる方向に傾斜させて、第１の帯状部と連結帯状体とがＹ字形状になるように形成したペット用胴輪を提案する。
【発明の効果】
【０００９】
本発明のペット用胴輪の、犬等のペットへの取付け・取外しは、きわめて簡単である。例えば、これをペットに取付けるには、第１の帯状部と連結帯状体と第２の帯状部と、そして第１の帯状部の端部に連結した一方の紐状体とで形成する一方の輪状部にペットの右前肢を通し、同様に、第１の帯状部と連結帯状体と第２の帯状部と、第１の帯状部の端部に連結した他方の紐状体とで形成する他方の輪状部に、ペットの左前肢を通し、そしてスライド式固定具を双方の紐状体に対してペット側に近づけて、双方の紐状体がペットの体に密着するように操作するだけでよい。また、この逆の操作を行えば、簡単に取外すことができる。
【００１０】
前記のような操作で、本発明のペット用胴輪をペットに対し取付けた状態において、本発明のペット用胴輪は、その第１、第２の帯状部と連結帯状体のそれぞれを、幅広の布状部材で構成して、胴輪本体を一体に形成しているので、ペットの胸から腹部にかけての広い部分に対応し、したがってリードからペットに加わる力は、ペットの胸から腹部にかけての広い範囲に分散されるので、細いベルトなどに比べ、ペットへの負担を格段に緩和する効果がある。
【００１１】
さらに、本発明のペット用胴輪は、その第１の帯状部の両端部を、第２の帯状部から離れる方向に傾斜させているので、ペットへの取付け状態において、第１の帯状部がペットの肩から胸にかけての曲線にぴったり合い、したがって自然な装着感を実現することができる。
【発明を実施するための最良の形態】
【００１２】
次に、本発明を実施するための最良の形態を図１〜図８を参照して説明する。尚、図１、図２は夫々正面図、平面図であり、図３は右側面図である。また図４、図５、図６、図７は使用状態の説明図、図８はスライド式固定具の説明図である。
【００１３】
図に示すように、本発明のペット用胴輪１は、第１の帯状部２と第２の帯状部３の中間部の間に連結帯状体４を一体に形成して、胴輪本体５を構成し、さらに第１の帯状部２の両端部に紐状体６（６ａ、６ｂ）を連結するとともに、第２の帯状部３の両端部に挿通部７（７ａ、７ｂ）を構成し、それぞれの挿通部７ａ、７ｂに挿通した紐状体６ａ、６ｂをスライド式固定具８を通して、それらの端部をリード取付部材９に固定している。
【００１４】
図４、図５、図６は本発明のペット用胴輪１をペット１０に取付けて使用している状態の説明図であるが、このように本発明のペット用胴輪１をペット１０に取付けるには、飼い主等（図示せず）が、まずペットの右前肢１１Ｒを、第１の帯状部２と連結帯状体４と第２の帯状部３と一方の紐状体６ａとで形成する輪状部１２ａに通し、同様に、第１の帯状部２と連結帯状体４と第２の帯状部３と他方の紐状体６ｂとで形成する輪状部１２ｂに、ペットの左前肢１１Ｌを通す。そして、スライド式固定具８をペット１０の背中側に移動し、リード１３を手で支持しながら、スライド式固定具８を双方の紐状体６ａ、６ｂに対してペット１０側に近づければ、第１の帯状部２とスライド式固定具８との間の紐状体６ａ、６ｂの長さが同時に短くなり、したがって胴輪本体５をペット１０の体に密着させることができる。なお、前記の取付け操作において、ペット１０の左前肢１１Ｌを輪状部１２ｂに通してから、右前肢１１Ｒを輪状部１２ａに通してもかまわないことはもちろんである。
【００１５】
前記の取付け操作により、本発明のペット用胴輪１をペット１０に取付けると、図４、図５、図６に示すように、胴輪本体５は第１の帯状部２と第２の帯状部３の中間部の間に連結帯状体４を一体に形成して構成し、さらにこの第１、第２の帯状部２、３と連結帯状体４のそれぞれを幅広の布状部材で構成しているので、胴輪本体５はペット１０の肩から胸、そして腹部までの広い範囲覆うことができる。したがって、スライド式固定具８を操作して、第１の帯状部２とスライド式固定具８との間の紐状体６（６ａ、６ｂ）の長さを適度に調節することにより、胴輪本体５をペット１０の体に適度な圧力で密着させて、ペット１０を安定に支持できるとともに、リード１３からペット１０に加わる力は、胴輪本体５の広い範囲に分散するので、細いベルトなどに比べて、ペットへの負担を格段に緩和することができる。くわえて、本発明のペット用胴輪１においては、その第１の帯状部２の両端部を、第２の帯状部３から離れる方向に傾斜させ、第１の帯状部２と連結帯状体４とがＹ字形状になるように形成しているので、ペット１０への取付け状態において、第１の帯状部２がペット１０の肩から胸にかけての曲線にぴったり合い、自然な装着感を実現することができる。
【００１６】
このように、本発明のペット用胴輪１をペット１０に取付ければ、飼い主等（図示せず）はリード１３を手で持つなどして、ペット１０を安全、快適に散歩や外出に連れて行くことができる。
【００１７】
そして、ペット１０の散歩が終わるなどして、ペット用胴輪１をペット１０から取外すさいは、以上とは逆の操作を行えばよい。つまり、リード１３を手で支持しながら、スライド式固定具８を双方の紐状体６ａ、６ｂに対してペット１０側から離れる方向に移動して緩め、胴輪本体５をペット１０の体から離し、そしてペット１０の前肢１１を、輪状部１２から抜けば、ペット１０からペット用胴輪１を取外すことができるので、取付け時と同様、取外し時の操作もきわめて簡単である。
【００１８】
なお、前記の図４、図５、図６に示す取付け例では、第１の帯状部２をペット１０の肩、胸に、そして第２の帯状部３をペット１０の腹部に対応させているが、ペット１０の体格に応じて、逆に取付けて使用することもできる。この場合は、ペットの右前肢１１Ｒを輪状部１２ｂに通し、左前肢１１Ｌを輪状部１２ａに通せば良く、他の操作は同様である。図７はこのようにして本発明のペット用胴輪１をペット１０（図示せず）に取付けて使用する場合の説明図である。
【００１９】
胴輪本体５の第１、第２の帯状部２、３や連結帯状体４等は強い力が加わっても容易に切れたり破れたりせず、適度な強度を有し、しかもペット１０の体に対して優しいものであれば天然繊維や合成繊維あるいは皮革など適当な材料で幅広に構成し、また、紐状体６は丈夫な繊維紐等を第１の帯状部２に縫い付けて固定すれば良い。第２の帯状部３の両端部に構成する挿通部７は、例えば第２の帯状部３に紐状体６を通しうる適当な大きさの挿通孔を開けて構成すれば良いが、そこに金属リング等を嵌め込んで縫い付ければ、さらに強度を高めることができる。
【００２０】
スライド式固定具８は、この固定具８と第１の帯状部２との間の紐状体６（６ａ、６ｂ）の長さを調節できるものであれば適宜に構成して良く、例えば図８はバネ付きクリップ１４で構成した実施例である。紐状体６はバネ付きクリップ１４の操作片１５ａと１５ｂの間、および作動片１６ａと１６ｂの間を貫通している。スライド式固定具８を操作していない状態では、バネ（図示せず）による力で作動片１６ａと１６ｂは紐状体６を強く挟んで固定する。そして、操作片１５ａと１５ｂを手で挟んで、作動片１６ａと１６ｂを広げれば、作動片１６ａと１６ｂの紐状体６に対する拘束は解除されるので、スライド式固定具８を紐状体６に対して移動することができる。
【産業上の利用可能性】
【００２１】
以上のように、本発明のペット用胴輪は、まず第１に、リードからペットに加わる力によるペットへの負担を格段に緩和し、しかもペットへの取付け、取外しがきわめて容易なので、手軽にしかも安全、快適に犬等のペットを散歩や外出に連れて行くことができ、したがって飼い主にとってはとても大切なペットの健康増進に役立ち、その結果、高額なペット医療費の削減にも寄与すること、そして第２に、構成要素が極めて少なくシンプルであり製造コスト、そして製品価格を安くできるので、その産業上の利用可能性はきわめて大である。
【図面の簡単な説明】
【００２２】
【図１】本発明に係るペット用胴輪の一形態を示す正面図である。
【図２】本発明に係るペット用胴輪の一形態を示す平面図である。
【図３】本発明に係るペット用胴輪の一形態を示す右側面図である。
【図４】使用状態の説明図である。
【図５】使用状態の説明図である。
【図６】使用状態の説明図である。
【図７】他の使用状態の右側面図である。
【図８】スライド式固定具の説明図である。
【図９】従来例の説明図である。
【図１０】従来例の説明図である。
【符号の説明】
【００２３】
１                ペット用胴輪
２                第１の帯状部
３                第２の帯状部
４                連結帯状体
５                胴輪本体
６（６ａ、６ｂ）  紐状体
７（７ａ、７ｂ）  挿通部
８                スライド式固定具
９                リード取付部材
１０              ペット
１１Ｒ            ペット１０の右前肢
１１Ｌ            ペット１０の左前肢
１２（１２ａ、１２ｂ）    輪状部
１３              リード
１４              バネ付きクリップ
１５（１５ａ、１５ｂ）    操作片
１６（１６ａ、１６ｂ）    作動片
Ｘ                従来例のペット用胴輪
１００            ペット
１０１            ペット１００の首部
１０２            ペット１００の胴部
１０３（１０３ａ、１０３ｂ）    帯状部材
１０４（１０４ａ、１０４ｂ）    連結部材
１０５            リード
１０６（１０６ａ、１０６ｂ）    連結帯状部材
１０７（１０７ａ、１０７ｂ）    連結環
１０８            幅規制帯状部材
【図１】
0004502336.tif 000002
【図２】
0004502336.tif 000003
【図３】
0004502336.tif 000004
【図４】
0004502336.tif 000005
【図５】
0004502336.tif 000006
【図６】
0004502336.tif 000007
【図７】
0004502336.tif 000008
【図８】
0004502336.tif 000009
【図９】
0004502336.tif 000010
【図１０】
0004502336.tif 000011